(57)【要約】【課題】原稿画像の印刷時に、例えば章分け，合紙挿入等の区切り処置を行う場合の区切り処置位置の設定を容易にする。【解決手段】原稿台２に配置された原稿束の各原稿の画像読取手段１，５０；原稿台に配置された原稿束の各原稿の、読取った画像を用紙上に印刷する作像手段８−２７，６０；区切り処置を指示する手段４０，４１；原稿台に配置された原稿束の全原稿の画像の読取が終了し区切り処置の指示があるときに、区切り処置を設定するための「直接指定」の入力案内を報知する手段（図７の３１）；および、該入力案内に対応して入力された区切り処置の指定に応じた区切り処置を、次に原稿台に配置され読取られる原稿束の画像の印刷に対して設定する区切り処置手段２０；を備える画像形成装置。【選択図】  図７
2005045479.tif 000002
【特許請求の範囲】
【請求項１】
原稿台に配置された原稿束の各原稿の画像を読取る手段；
前記原稿台に配置された原稿束の各原稿の、前記画像読取手段が読取った画像を用紙上に印刷する作像手段；
区切り処置を指示する区切処置指示手段；
前記原稿台に配置された原稿束の全原稿の画像の読取が終了し前記区切り処置の指示があるときに、区切り処置を設定するための「直接指定」の入力案内を報知する手段；および、
該入力案内に対応して入力された区切り処置の指定に応じた区切り処置を、次に原稿台に配置され読取られる原稿束の画像の前記作像手段による印刷に対して設定する区切り処置手段；を備える画像形成装置。
【請求項２】
更に、１組の原稿群を複数の原稿束に分けて、前記原稿台に各原稿束を個別に順次に配置して前記画像読取手段で、１組の原稿群のものとして、各原稿束の各原稿の画像を読取る大量原稿読取モードを指定する、大量原稿読取モード指定手段；を備え、
前記入力案内報知手段は、前記大量原稿読取モード指定手段によって大量原稿読取モードが指定されているとき、前記「直接指定」の入力案内を報知する；請求項１に記載の画像形成装置。
【請求項３】
更に、前記原稿台に載置される１原稿束の画像の間に印刷の区切り処置およびページを指定する「ページ指定」を指示する手段；を備え、前記入力案内報知手段は、前記「ページ指定」が指示され前記区切処置指示手段による区切り処置の指示がある場合は、前記「ページ指定」を指示する手段による「ページ指定」の入力案内を報知する；請求項１又は請求項２に記載の画像形成装置。
【請求項４】
前記入力案内報知手段は、前記区切処置指示手段による区切り処置の指示が、原稿読取の開始前のときは、「ページ指定」の入力案内を報知し、前記大量原稿読取モード指定手段によって大量原稿読取モードが指定されていて原稿台の１原稿束の画像読取を終えたときは、前記「直接指定」の入力案内を報知する；請求項３に記載の画像形成装置。
【請求項５】
前記原稿台に配置された原稿の読取を行い試しに１部だけ先行印刷し設定に誤りがあれば変更した上で印刷を再度行う「試しコピー」機能を有し、「試しコピー」における前記１部だけの先行印刷ならびに前記変更において、前記「ページ指定」および「直接指定」の区切り処置を設定できる、請求項３に記載の画像形成装置。
【請求項６】
前記「直接指定」および「ページ指定」の入力案内は、それぞれを識別できる表示を含む、請求項３乃至５の何れか１つに記載の画像形成装置。
【請求項７】
前記印刷の区切り処置は、章分けを含む、請求項１乃至６の何れか１つに記載の画像形成装置。
【請求項８】
前記印刷の区切り処置は、合紙挿入を含む、請求項１乃至７の何れか１つに記載の画像形成装置。
【発明の詳細な説明】
【０００１】
【発明の属する技術分野】
本発明は、大量の印刷を区切り処置することができる画像形成装置に関し、たとえばプリンタ，複写機，ファクシミリ，蓄積機能がある複合機能画像形成装置に使用できる。
【０００２】
【従来技術】
大量の印刷に章区切り，章分け，合紙（表紙を含む）挿入，印字などの区切り処置を行う画像形成装置がある。章区切りは、両面印刷において、自動原稿供給装置（ＡＤＦ）の原稿台に配置される第１の原稿束の印刷を終えると、次に配置される第２の原稿束の印刷は、転写紙の表面への印刷から開始するものであり、章分けは、両面印刷において指定されたページを、それが偶数番ページ（通常は転写紙の裏面に印刷される）であっても転写紙の表面に印刷して次ページを該転写紙の裏面に印刷するものである。合紙挿入は、１つの用紙トレイに合紙用の用紙（例えば色付き用紙）を装填しておき、指定のページの普通紙印刷の前又は後に合紙を送り出す、あるいは、指定ページの原稿の画像を合紙に印刷するものである。印字は、丸秘，印刷日，印刷場所，印刷ドキュメントの出所，印刷の通し番号等の付加情報を、指定があったページに付加印字するものである。
【０００３】
大量の原稿束、特に一度に原稿台に配置し得る量を超える原稿束を、１つの複写ジョブ（大量原稿モードの複写）として複写処理する場合、上述の章区切り，章分け，合紙（表紙を含む）挿入，印字などの区切り処置を設定することが煩雑になる場合が多い。
【０００４】
【特許文献１】特開平１１−３８６９８号公報は、ＡＤＦの原稿台に積載可能な原稿枚数ｎよりも多い原稿の複写を可能にするために、ｎより多い原稿の画像データを蓄積できるメモリ，メモリモードボタンおよび読込釦を備えて、ｎ以下の原稿束を原稿台に配置してメモリモードボタンと読込釦を操作すると該原稿束の画像読取をして画像データをメモリに蓄積し、さらに別の原稿束を原稿台に配置して読込釦を操作すると該原稿束の画像読取をして画像データをメモリに付加蓄積し、コピー釦が操作されるとメモリの蓄積画像を印刷出力する複写装置を記載している。
【０００５】
【特許文献２】特開２０００−３５７２９号公報は、合紙挿入位置の指定を簡単にするために、原稿束をユーザが章区分して各章原稿束に分割し、分割原稿束毎にＡＤＦに載置し、ＡＤＦで分割原稿束を空循環給送して原稿をカウントアップし、章区分の原稿枚数を検出し、これを章区分の印刷枚数に設定する画像形成装置を記載している。
【０００６】
【特許文献３】特開２００２−１４９０３５号公報は、両面印刷に対する章分け設定と合紙設定を同時に設定できる操作画面を用いる複写機を開示している。
【０００７】
【特許文献４】特開２００３−１０１７５７号公報は、章分けボタンおよび次原稿ありボタンを操作してからスタートボタンを操作すると、原稿台上の原稿束の画像読取を行って、それを終えると次原稿束の配置をうながすメッセージを表示し、次原稿束を配置してスタートボタンを操作すると、次原稿束の画像を読取って章分け処理をする画像形成装置を記載している。
【０００８】
【特許文献５】特開２００３−１８９０２６号公報は、タブ合紙挿入位置と見出しの設定を簡便にするために、原稿画像の読取において原稿がタブ情報紙であると、それに記載された見出しとタブ紙挿入位置を認識し記憶し、原稿が仕切り紙ならそれが原稿束の何枚目かという挿入位置をタブ紙挿入位置として記憶して、原稿画像の印刷ステージで、これらの情報を用いてタブ紙印刷を行う画像形成装置を記載している。
【０００９】
【特許文献６】特開２００３−１８９０２８号公報は、原稿読取および印刷すなわち複写をしたときの画像データと合紙，章表紙等の設定を記憶保持し、再印刷時には、記憶保持する情報に基いて印刷出力を行う文書処理装置を記載している。
【００１０】
【発明が解決しようとする課題】
従来のページ指定方式では、大量の原稿に対して多くの個所に、章分け，合紙挿入等の区切り処置を行おうとすると、印刷開始前に正確に設定していく必要がある。また原稿をみれば指定したい個所が一目瞭然な場合（色や紙種が異なる場合など）でもページがわからない場合はページ数を数える必要がある。
【００１１】
本発明は、印刷時に、例えば章分け，合紙挿入等の区切り処置を行う場合の区切り処置位置の設定を容易にすることを目的とする。
【００１２】
【課題を解決するための手段】
（１）原稿台（２）に配置された原稿束の各原稿の画像を読取る手段（１，５０）；
前記原稿台に配置された原稿束の各原稿の、前記画像読取手段が読取った画像を用紙上に印刷する作像手段（８−２７，６０）；
区切り処置を指示する区切処置指示手段（４０，４１）；
前記原稿台に配置された原稿束の全原稿の画像の読取が終了し前記区切り処置の指示があるときに、区切り処置を設定するための「直接指定」の入力案内を報知する手段（図７の３１）；および、
該入力案内に対応して入力された区切り処置の指定に応じた区切り処置を、次に原稿台に配置され読取られる原稿束の画像の前記作像手段による印刷に対して設定する区切り処置手段（２０）；を備える画像形成装置。
【００１３】
なお、理解を容易にするためにカッコ内には、図面に示し後述する実施例の対応要素又は対応事項の符号を、例示として参考までに付記した。以下も同様である。
【００１４】
これによれば、原稿台（２）に配置された原稿束の画像の読取が終了し前記区切り処置の指示があるときに、印刷の区切り処置を設定するための入力案内が報知されるので、ユーザは、タイミング良く、次に読取る別の原稿束の画像の印刷に対して区切り処置の要否を判断して、要であれば区切り処置を設定することができる。
【００１５】
【発明の実施の形態】
（２）更に、１組の原稿群を複数の原稿束に分けて、前記原稿台に各原稿束を個別に順次に配置して前記画像読取手段で、１組の原稿群のものとして、各原稿束の各原稿の画像を読取る大量原稿読取モードを指定する、大量原稿読取モード指定手段（３９）；を備え、
前記入力案内報知手段（図７の３１）は、前記大量原稿読取モード指定手段（３９）によって大量原稿読取モードが指定されているとき、前記「直接指定」の入力案内を報知する；上記（１）に記載の画像形成装置。
【００１６】
これによれば、大量原稿読取モードで前記区切処置指示手段（４０，４１）を用いて区切り処置を指示すると、次の原稿束に対して印刷の区切り処置を設定するための入力案内が報知されるので、ユーザは、タイミング良く、次に読取る別の原稿束の画像の印刷に対して区切り処置の要否を判断して、要であれば区切り処置を設定することができる。
【００１７】
（３）更に、前記原稿台（２）に載置される１原稿束の画像の間に印刷の区切り処置およびページを指定する「ページ指定」を指示する手段；を備え、前記入力案内報知手段（図７の３１）は、前記「ページ指定」が指示され前記区切処置指示手段（３９，４０）による区切り処置の指示がある場合は、前記「ページ指定」を指示する手段による「ページ指定」の入力案内を報知する；上記（１）又は（２）に記載の画像形成装置。
【００１８】
これによればユーザは、原稿読取を行うとき、読取開始前に１原稿束の画像の間に印刷の区切り処置およびページを指定する「ページ指定」を指示することができる。この指示があるときにユーザが、前記区切処置指示手段（３９，４０）を用いて区切り処置を指示すると、１原稿束内の指定ページに対する区切り処置が行われる。１原稿束の画像の区切印刷も指定できる。
【００１９】
（４）前記入力案内報知手段（図７の３１）は、前記区切処置指示手段（３９，４０）による区切り処置の指示が、原稿読取の開始前のときは、「ページ指定」の入力案内を報知し、前記大量原稿読取モード指定手段（３９）によって大量原稿読取モードが指定されていて原稿台（２）の１原稿束の画像読取を終えたときは、前記「直接指定」の入力案内を報知する；上記（３）に記載の画像形成装置。
【００２０】
これによれば、区切処置指示手段（３９，４０）による区切り処置の指示が、１ジョブの原稿読取の開始前であると「ページ指定」の入力案内が、大量原稿読取モードが指定されていて原稿台（２）の１原稿束の画像読取を終えたときには、「直接指定」の入力案内が報知されるので、ユーザは区切モード（ページ区切り／原稿束区切り）を明確に認識できる。
【００２１】
（５）前記原稿台（２）に配置された原稿の読取を行い試しに１部だけ先行印刷し設定に誤りがあれば変更した上で印刷を再度行う「試しコピー」機能を有し、「試しコピー」における前記１部だけの先行印刷ならびに前記変更において、前記「ページ指定」および「直接指定」の区切り処置を設定できる、上記（４）に記載の画像形成装置。これによれば、「試しコピー」モードにおいても、「ページ指定」（ページ区切り）と「直接指定」（原稿束区切り）を実施できる。
【００２２】
（６）前記「直接指定」および「ページ指定」の入力案内は、それぞれを識別できる表示を含む、上記（３）乃至（５）の何れか１つに記載の画像形成装置。これによればユーザは、「ページ指定」（ページ区切り）と「直接指定」（原稿束区切り）の入力（設定）が可能か容易に認識できる。
【００２３】
（７）前記印刷の区切り処置は、章分けを含む、上記（１）乃至（６）の何れか１つに記載の画像形成装置。これによれば、両面印刷において指定されたページを、それが偶数番ページ（通常は転写紙の裏面に印刷される）であっても転写紙の表面に印刷して次ページを該転写紙の裏面に印刷する章分けを容易に設定することができる。
【００２４】
（８）前記印刷の区切り処置は、合紙挿入を含む、上記（１）乃至（７）の何れか１つに記載の画像形成装置。これによれば、１つの用紙トレイに合紙用の用紙（例えば色付き用紙）を装填しておき、指定のページの普通紙印刷の前又は後に合紙を送り出す、あるいは、指定ページの原稿の画像を合紙に印刷する合紙挿入を容易に設定できる。
【００２５】
（９）印刷の区切り処置は、画像への付加情報画像の加入である印字を含む、上記（１）乃至（８）の何れか１つに記載の画像形成装置。これによれば、付加情報印字を容易に設定できる。
【００２６】
（１０）原稿の画像情報を読み取る手段（１，５０）と、読み取られた画像データを印刷する画像印刷手段（８−２７，６０）と、読み取られた画像データを記憶する画像記憶手段（６６，７５）と、画像形成の動作設定を入力する操作手段（３０）と、指定した画像データが章区切り，章分けとなるように指示する「章区切り，章分け設定手段」と、ＡＤＦに１度にセットしきれない場合などに複数の原稿束にわけてセットし、読み取りを繰り返すことで大量の原稿をコピー可能にする「大量原稿」モードが可能な画像形成装置において、
ユーザが大量原稿モードを指定した上で、章区切り，章分け，合紙挿入を行いたいページまでの原稿束をＡＤＦにセットし読み取らせ、停止した個所に章区切り等を直接設定することが可能な「直接指定」機能があることを特徴とする画像形成装置。
【００２７】
これによれば、大量原稿モードと組みあわせることで、大量の原稿に対して多くの個所に、章区切り，章分け，合紙挿入を行おうとすると印刷開始前に正確に設定していく必要がなくなり、ユーザが章区切り，章分け，合紙挿入を設定する際の手間を減らすことができる。
【００２８】
（１１）上記（１０）の画像形成装置において、通常のページ指定で章区切り等を設定する「ページ指定」機能と大量原稿モードを利用して設定する「直接指定」機能をユーザの好みに合わせて切り替えることが可能なことを特徴とする画像形成装置。これによれば、「直接指定」と「ページ指定」が切換え可能であるので、ユーザがケースによって使い分けることができる。
【００２９】
（１２）上記（１１）画像形成装置において、読み取りを一枚も行っていない状態では「ページ指定」、大量原稿モードを指定した上で原稿束の読み取りを終え停止した場合は該「直接指定」と、自動的に切り替わるように設定することが可能なことを特徴とする画像形成装置。これによれば、「ページ指定」と「直接指定」を設定や状態に応じて自動的に切換えることで、操作性が向上する。
【００３０】
（１３）上記（１１）の画像形成装置が、原稿の読み取り後、試しに１部だけ印刷を行い、設定に誤りがあれば変更した上で印刷を再度行う「試しコピー」機能を有す場合において、試しコピーと大量原稿モードを指定し、読み取り時に「直接指定」で章区切り等を設定し、１部印刷を確認。その後、細かな設定を「ページ指定」で変更することが可能なことを特徴とする画像形成装置。
【００３１】
これによれば、試しコピーの読取時は「直接指定」、確認後は「ページ指定」に切り替えることが可能なことで、解りやすく操作性が向上する。
【００３２】
（１４）上記（１１）の画像形成装置において、「ページ指定」か「直接指定」かをユーザが一目でわかる表示を行うことを特徴とする画像形成装置。これによれば、「ページ指定」と「直接指定」とで表示を変えることで、ユーザの理解が明確になる。
【００３３】
（１５）章区切り，章分けの代りに、指定した原稿の後ろに複数枚の合紙を挿入するように設定する「合紙挿入」を「直接指定」で設定できる、上記（１０）乃至（１４）の何れか１つに記載の画像形成装置。これによれば、章区切り，章分け同様、合紙挿入の操作性が向上する。
【００３４】
（１６）章区切り，章分けの代りに、指定した原稿に印字を行う「ページ指定印字」を「直接指定」で設定できる、上記（１０）乃至（１４）の何れか１つに記載の画像形成装置。これによれば、章区切り，章分け同様、指定ページ印字の操作性が向上する。
【００３５】
（１７）場合によって「直接指定」である原稿を指定するだけではなく、始点となる原稿と終点となる原稿を指定することも可能なことを特徴とする上記（１０）乃至（１６）の何れか１つに記載の画像形成装置。これによれば、「直接指定」で範囲を指定できることで、あるページ〜あるページまでといった連続した指定が容易にできるようになり操作性が向上する。
【００３６】
本発明の他の目的および特徴は、図面を参照した以下の実施例の説明より明らかになろう。
【００３７】
【実施例】
図１〜図４に、本発明の一実施例を示す。自動原稿送り装置（以後ＡＤＦ）１にある原稿台２に原稿の画像面を上にして置かれた原稿束は、図４に示す操作ボード３０上のプリントキー３４が押下されると、一番下の原稿から、図１に示す給送ローラ３，給送ベルト４によってコンタクトガラス６上の所定の位置に給送される。図１に示す複写機は、ＡＤＦ１が一枚の原稿の給送を完了すると原稿枚数をカウントアップするカウント機能を有している。コンタクトガラス６上に給送された原稿は、スキャナ５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３，給送ベルト４および排送ローラ５は搬送モータ２６（図２）によって駆動される。
【００３８】
図１に示すスキャナ５０は、原稿を載置するコンタクトガラス６と光学走査系で構成されており、光学走査系には、露光ランプ５１，第１〜第３ミラー５２，５５，５６，レンズ５３，ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で機械的に走査（副走査）される。この光学走査系は、図示しないスキャナ駆動モータにて駆動される。原稿画像は、ＣＣＤイメージセンサ５４によって読み取られ、電気信号に変換されて処理される。
【００３９】
書込ユニット６０は、４組のレーザ出力ユニット，モータによって高速で定速回転する多角形ミラー（ポリゴンミラー），各レーザー用の結像レンズおよびミラーで構成され、各レーザ出力ユニットの内部には、レーザ光源であるレーザダイオードおよび出力レーザ強度を制御する変調器が備わっている。書込ユニット６０から出力される各レーザ光が、画像作像系の各感光体１５に照射される。図示しないが感光体１５の一端近傍のレーザビームを照射される位置に、主走査同期信号を発生するビームセンサが配置されている。
【００４０】
図１に示す複写機は、フルカラー印刷ができるデジタルカラー複写機である。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００４１】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。スキャナ５０にて読み込まれた画像データは、書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００４２】
図１に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００４３】
一方、通常の排紙トレイ１０４は前後（図１紙面と垂直な方向）に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００４４】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００４５】
その後、両面給紙ユニット１１１にストックされた転写紙は再び感光体１５に作像されたトナー画像を転写するために、両面給紙ユニット１１１から再給紙され、経路切り替えの為の分岐爪１１２を図示水平に戻し、排紙トレイ１０４に導く。この様に転写紙の両面に画像を作成する場合に、反転ユニット１１２および両面給紙ユニット１１１が使用される。
【００４６】
感光体１５，搬送ベルト１６，定着ユニット１７，排紙ユニット１８および現像ユニット２７は、プリンタエンジン（図２）の図示を省略したメインモータによって駆動され、各給紙装置１１〜１３はメインモータの駆動を、プリンタエンジン（図２）のやはり図示を省略した各給紙クラッチによって伝達することにより駆動される。縦搬送ユニット１４は、メインモータの駆動を図示を省略した中間クラッチによって伝達することにより駆動される。
【００４７】
図２に、図１に示す複写機の制御システムを示す。メインコントローラ２０は複写機全体を制御する。メインコントローラ２０には、オペレータに対する表示およびオペレータからの機能設定入力の読込制御を行う操作ボード３０，画像データ処理を行う画像処理ユニット（ＩＰＵ）４９，スキャナ５０およびプリンタエンジン（作像機構１１〜２７，６０を駆動する電気回路）が接続されている。ＡＤＦ１はスキャナ５０に、フィニッシャ１００はプリンタエンジンに、それぞれ接続されている。メインコントローラ２０は、これらの装備と、必要に応じて機械の状態、動作司令のやりとりを行う。
【００４８】
図３に、ＩＰＵ４９の機能およびハードウエア要素の概要を示す。スキャナ５０において、露光ランプ５１から照射された光の反射を、センサボードユニットＳＢＵ上のＣＣＤイメージセンサ５４にて光電変換し、Ａ／Ｄコンバータ６１にてデジタル信号すなわち画像データに変換する。この画像データは、ＳＢＵ上でシェーディング補正６２がなされた後、ＩＰＵ４９に出力される。
【００４９】
ＩＰＵ４９は、スキャナ５０のＳＢＵが出力する上述の画像データに対して、画像データ補正ブロック６３で、色変換（画像読取のＲ，Ｇ，Ｂ画像データを、印刷用のＢｋ，Ｃ，Ｍ，Ｙ画像データへの変換），ＭＴＦ補正，γ補正等の、所要の変換および補正を行う。その後、セレクタ６４を介して入力した画像データを印字合成７１を経て変倍，階調処理７６へ、或いは、画像メモリコントローラ６５へ切り替えて供給する。変倍，階調処理７６で処理された画像データは書込ユニット６０に送られる。
【００５０】
一方、画像メモリコントローラ６５とセレクタ６４間は、双方向に画像データを入出力可能な構成となっている。図３には特に明示していないが、ＩＰＵ４９にはスキャナ５０から入力される画像データ以外にもＩ／Ｏポート６７、電話回線通信制御ユニット６８を介して外部から供給される画像データ、例えばパーソナルコンピュータ等のデータ処理装置から入力したデータも処理できるよう、複数のデータへの入出力の選択を行なう機能を有している。ＨＤＤ７５に登録している印字データならびに外部から入力される印刷データのなかの文書データ（テキストデータ）は、印字イメージデータ生成７６でイメージデータ（画像データ）に変換される。
【００５１】
電話回線通信制御ユニット６８は付属の図示しないアンテナを介して無線通信網より得られるアナログ情報をデジタル化する、もしくは、画像メモリ６６やＨＤＤ（ハードディスク装置）７５，ＲＯＭ６９，ＲＡＭ７０，ＮＶＲＡＭ７４に記憶されているデータをアナログ情報に変換し無線通信網を経由して、所定の携帯端末に送信する機能をもつ。これにより、一般の電話と図１に示す複写機とのデータの送受信を可能にしている。
【００５２】
また、画像メモリコントローラ６５等へのデータ処理又は制御の設定や、スキャナ５０および書込ユニット６０の動作を制御するＣＰＵ６８、及びそのプログラムやデータを格納するＲＯＭ６９，ＲＡＭ７０，ＮＶＲＡＭ７４を備えている。更にＣＰＵ６８は、メモリコントローラ６５を介して、画像メモリ６６，ＨＤＤ７５に対する画像データの書き込み、読み出しを行う。原稿を読取って画像メモリコントローラ６５へ送られた画像データは、画像メモリコントローラ６５内にある画像圧縮装置によって圧縮した後、画像メモリ６６に送られる。
【００５３】
ここで画像圧縮する理由は、最大画像サイズ分の２５６階調のデータをそのまま画像メモリ６６に書き込む事も可能であるが、１枚の原稿画像で画像メモリを大変多く使用する。画像圧縮を行う事で、限られた画像メモリを有効に利用できる。また、一度に多くの原稿画像データを記憶することが出来るため、ソート機能として、貯えられた原稿画像イメージデータをページ順に出力する事ができる。
【００５４】
画像メモリ６６の画像はＣＰＵ６８からアクセス可能な構成となっている。このため画像メモリの内容を加工することが可能であり、例えば画像の間引き処理，画像の切り出し処理等が行える。これらの加工をする場合、メモリコントローラ６５のレジスタに対する画像データの書込みおよび又は読出しのときにアドレス操作をし、また所要の演算をする。加工した画像データは再度画像メモリ６６に保持する。画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするために、画像メモリ６６は、メモリコントローラ６５とのインターフェースにリード用とライト用の二組のアドレスおよびデータ線で接続されている。これによりエリア１に画像を入力（書込み）する間にエリア２より画像を出力（読出し）するという動作が可能になり、原稿束の全原稿読取り（画像入力）完了後、画像が印刷出力中であっても、次原稿の読取りを開始する「予約コピー」が可能である。
【００５５】
画像メモリ６６に加えて、多くの画像データを収納するためＨＤＤ７５を備えている。ＨＤＤ７５を用いる事により、装置電源オフ時のバックアップ電源が不要で永久的に画像を保持できる特徴もある。複数の定型の原稿（フォーマット原稿）をスキャナで読取りその画像データ（イメージ）を保持する場合、ならびに、パソコンなどの外部機器（ホスト）から与えられる定型文書データ（テキストデータ）を保持する場合には、このＨＤＤ７５に書込む。すなわち登録する。
【００５６】
ＨＤＤ７５に対する画像データ，文書データの書込み，読出しには作像プロセスやスキャナからの画像転送に対し、読み書き処理速度の差を吸収する為に、画像メモリ６６に一旦記憶する。すなわち、ＨＤＤ７５のデータを書込ユニット６０に送る際は、画像メモリ６６に一旦記憶し、書込ユニット６０の動作に同期して送ることになる。このように画像を記憶する画像メモリ６６，ＨＤＤ７５とスキャナ５０および書込ユニット６０間の画像データの転送は全てメモリコントローラ６５によって画像パスを決められる。
【００５７】
図４に、操作ボード３０の上面を示す。操作ボード３０には、液晶タッチパネル３１，テンキー３２，クリア／ストップキー３３，プリントキー３４，一覧キー３５，リセットキー３６，試しコピーキー３７，詳細確認キー３８および大量原稿キー３９があり、液晶タッチパネル３１には、各種機能キー（ボタン像）及び複写機の状態を示すメッセージなどが表示される。
【００５８】
オペレータが液晶タッチパネル３１に表示されたキー（ボタン像領域）にタッチする事で、タッチがあったキーの機能表示が黒く反転する。また、機能の詳細を指定しなければならない場合（例えば印字の種類等）は、該当のキー（「印字」）にタッチする事で詳細機能の設定画面が表示される。
【００５９】
一覧キー３５を押すと、パネル上にはその機械で処理中のジョブの一覧が表示される。基本的に一覧は印刷の実行順で並んでいる。試しコピーキー３７を押す事で、１部だけ印刷される試しコピーが行われる。詳細確認キー３８を押すとそのとき表示されていたジョブに関する、詳細な情報が表示される。情報は「画像サイズ」，「設定モード」，「後処理」，「濃度」，「カラー設定」等ジョブ単体の情報である。大量原稿キー３９を押すと、原稿束を数回にわけて読み取ることができる大量原稿モードとなる。
【００６０】
本実施例では「直接指定」を設定している場合と、「ページ指定」を設定している場合で、章設定キー４０及び印字キー４１（図４）を押した場合の各機能の設定画面（入力画面）が異なる。
【００６１】
図５に、操作ボード３０あるいは外部パソコンからの入力を読取る入力読取ＲＩＰの中の、区切り処理に関する入力読取の概要を示す。この入力読取は、操作ボード３０およびメインコントローラ２０の協働により行われる。操作ボード３０の「大量原稿」キー３９が押されると、操作ボード３０が大量原稿処理の設定入力画面を液晶タッチパネル３１に表示する（ステップＳ１，Ｓ２）。なお、以下においてカッコ内には、ステップという語を省略してステップ番号のみを表記する。
【００６２】
大量原稿処理の設定入力画面には、「大量原稿指定」ボタン，「直接指定」ボタン，「ページ指定」ボタン，「登録」ボタン，これらの指定をキャンセルする「取消」ボタンおよび「終了」ボタンがあり、各指定ボタンが押され「登録」ボタンが押されると各指定が操作ボード３０の操作部コントローラ３７内の不揮発メモリに記憶（登録）される。各指定ボタンが押され「取消」ボタンが押されると登録されている各指定が取消される（Ｓ３〜Ｓ６）。「終了」ボタンが押されると、液晶タッチパネル３１の表示は、「大量原稿」キー３９が押される前の入力画面（図４）に戻る。
【００６３】
液晶タッチパネル３１の「章設定」キー４０が押されると、操作ボード３０は操作部コントローラ３７内の不揮発メモリに「ページ指定」又は「直接指定」の登録があるかを参照して（Ｓ７〜Ｓ９）、「ページ指定」があると図６に示す章設定入力画面を液晶タッチパネル３１に表示する（Ｓ１１）。そこに入力があると操作部コントローラ３７内のメモリに割当てた入力レジスタに書込む。
【００６４】
操作部コントローラ３７内の不揮発メモリに「ページ指定」が登録されていない場合には、「直接指定」があると大量原稿モードが指定されていて原稿台２の原稿束の読取を終了しているときには、図７に示す章設定入力画面を液晶タッチパネル３１に表示する（Ｓ９−Ｓ１２−Ｓ１３）。そこに入力があると操作部コントローラ３７内のメモリに割当てた入力レジスタに書込む。「直接指定」がなくコピー，プリント，画像読取などの指示を待つジョブ開始前あるいは試しコピーを終了した直後であるときには、図６に示す章設定入力画面を液晶タッチパネル３１に表示する（Ｓ９−Ｓ１０−Ｓ１１）。「直接指定」がなくても、大量原稿モードが指定されていて原稿台２の原稿束の読取を終了しているときには、図７に示す章設定入力画面を液晶タッチパネル３１に表示する（Ｓ９−Ｓ１０−Ｓ１２−Ｓ１３）。
【００６５】
上記説明は「章設定」キー４０が押された場合のものであるが、「印字」キー４１（図４）が押された場合も、上述と同様な入力読取が行われる。
【００６６】
コピースタート信号などのジョブスタート信号が入力されると、操作ボード３０の入力レジスタの入力情報および設定情報がメインコントローラ２０に転送され、それらの情報に基いてメインコントローラ２０が、画像処理モードを設定して、画像処理を開始する。なお、上述は操作ボード３０での入出力態様のものであるが、外部パソコンからジョブコマンドが与えられる場合には、上述の説明を、操作ボード３０を外部パソコンと読み替えたものとなる。
【００６７】
ここで、例えば、１００ページの原稿の１２ページおよび１９ページに章区切りを設定し、２７ページに合紙を２枚、５０〜１００ページにマル秘印字を設定してコピーする場合の、操作ボード３０の入出力を説明する。なお章区切りや印字を行う場所は、原稿色または原稿束の分割により一目で解るものとする。
【００６８】
ユーザは大量原稿モードを指定し（ｆＭａｎｙＳｃａｎ  ＝  ＳＥＴ）、最初の色が違う場所までの原稿束を原稿台２にセットしてスタートする（ｆＳｔａｒｔ  ＝  ＳＥＴ）。セットした原稿を全て読み終わると読み取りが一時停止する（このとき１２ページまで読み取り，ＰａｇｅＮｏ  ＝  １２）。その状態（ｆＳｔａｒｔ  ＝＝  ＳＥＴ  ａｎｄ  ｆＭａｎｙＳｃａｎ  ＝  ＳＥＴ）でユーザが「章設定」キー４０を押すと「直接指定」の入力画面（図７）が開く。そこで章区切りを設定し、次の原稿束をＡＤＦ１にセットしスタートすると１２ページ（ＰａｇｅＮｏ）に章区切りが設定される。
【００６９】
なお、「直接指定」の入力画面か，「ページ指定」の入力画面かは、原稿読取のスタート後かどうか（ｆＳｔａｒｔ  ），大量原稿かどうか（ｆＭａｎｙＳｃａｎ）のほかに、「直接指定」および「ページ指定」それぞれの登録の有無（ＰａｇｅＳｐｅｃｉｆｙ  ＝＝  ｎｏｒｍａｌ／ｄｉｒｅｃｔ／ｐａｇｅ）、試しコピー（ｆＣｈｅｃｋ）直後等に従い、図５に示すフローに従ってきまる。
【００７０】
同様の方法で１９ページに章区切りを設定後、今度は２７ページ（ＰａｇｅＮｏ  ＝  ２７）で停止したところで、合紙挿入を設定し、テンキーの「２」を押下し（ＰａｇｅＮｕｍ  ＝  ２）、スタートすることで２７ページ（ＰａｇｅＮｏ  ＝  ２７）の後ろに合紙挿入２枚（ＰａｇｅＮｕｍ）が設定される。
【００７１】
最後に５０ページ目で停止したとき（ＰａｇｅＮｏ  ＝  ５０）に印字キーを押すと、これも「直接指定」の入力画面が開くのでマル秘印字を設定後、「〜」を意味するキーを押す。本例ではテンキーの「＃」をこれに割当てている。そして１００ページまでの原稿をＡＤＦ１にセットしスタート（ＰａｇｅＮｕｍ  ＝  ５０）すると５０（ＰａｇｅＮｏ）〜１００（ＰａｇｅＮｏ  ＋  ＰａｇｅＮｕｍ）ページにマル秘印字設定がされる。
【００７２】
【発明の効果】
原稿台に配置された原稿束の画像の読取が終了し区切り処置の指示があるときに、印刷の区切り処置を設定するための入力案内が報知されるので、ユーザは、タイミング良く、次に読取る別の原稿束の画像の印刷に対して区切り処置の要否を判断して、要であれば区切り処置を設定することができる。
【図面の簡単な説明】
【図１】本発明の一実施例の複合機能フルカラー複写機の機械機構の概要を示す縦断面図である。
【図２】図１に示す複写機の制御システム構成の概要を示すブロック図である。
【図３】図２に示す画像処理ユニットＩＰＵ４９の機能構成を示すブロック図である。
【図４】図２に示す操作ボード３０の上面の一部を拡大して示す平面図である。
【図５】図２に示す操作ボード３０とメインコントローラ２０によっておこなわれる入力読取ＲＩＰの一部の情報処理を示すフローチャートである。
【図６】操作ボード３０の、「章設定」キー４０が押されたときに、液晶タッチパネル３１に表示される「直接指定」モードの入力案内報知を示す平面図である。
【図７】操作ボード３０の、「章設定」キー４０が押されたときに、液晶タッチパネル３１に表示される「ページ指定」モードの入力案内報知を示す平面図である。
【符号の説明】
１：ＡＤＦ（自動原稿送り装置）
２：原稿台          ３：給送ローラ
４：給送ベルト      ５：排送ローラ
６：コンタクトガラス
７：原稿セット検知  ８：第１トレイ
９：第２トレイ      １０：第３トレイ
１１：第１給紙装置  １２：第２給紙装置
１３：第３給紙装置  １４：縦搬送ユニット
１５：感光体        １６：搬送ベルト
１７：定着ユニット  １８：排紙ユニット
１９：分岐爪        ２６：搬送モータ
２７：現像器        ３０：操作ボード
３４：プリントキー  ５０：スキャナ
５１：露光ランプ    ５２：第１ミラー
５３：レンズ        ５４：ＣＣＤイメージセンサ
５５：第２ミラー    ５６：第２ミラー
６０：書込ユニット  １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
【図１】
2005045479.tif 000003
【図２】
2005045479.tif 000004
【図３】
2005045479.tif 000005
【図４】
2005045479.tif 000006
【図５】
2005045479.tif 000007
【図６】
2005045479.tif 000008
【図７】
2005045479.tif 000009